(57)【要約】【課題】光源を照明カバーの中央の位置に安定に保持することができ、照明カバーが光源に接触することがなくしかも常に高い反射効率を維持できるエレベータの照明装置を提供すること。【解決手段】エレベータ内の照明用の光源と、この光源に通電すると共に前記光源を保持する光源支持体と、中央に開口部を有すると共に下方に向かって開いた形状を有し、前記光源から発する光を反射させる照明カバーと、この照明カバーの前記開口部の縁に設けられ、この照明カバーを前記支持体に取り付けるとき前記光源支持体に当接する照明カバー保持体とから成る。【選択図】　図１
2004051265.tif 000002
【特許請求の範囲】
【請求項１】
エレベータ内の照明用の光源と、
この光源に通電すると共に前記光源を保持する光源支持体と、
中央に開口部を有すると共に下方に向かって開いた形状を有し、前記光源から発する光を反射させる照明カバーと、
この照明カバーの前記開口部の縁に設けられ、この照明カバーを前記支持体に取り付けるとき前記光源支持体に当接する照明カバー保持体とから成ることを特徴とするエレベータの照明装置。
【請求項２】
前記照明カバーが有する開口部は円形状であり、前記照明カバー保持体は前記開口部の中央に対して対象な位置に設けられて成ることを特徴とする請求項１記載のエレベータの照明装置。
【請求項３】
前記照明カバーは前記照明カバー保持体により前記光源支持体に当接固定されてなることを特徴とする請求項１又は請求項２記載のエレベータの照明装置。
【発明の詳細な説明】
【０００１】
【発明の属する技術分野】
本発明は、エレベータに取り付けられる照明装置に関する。
【０００２】
【従来の技術】
一般に、エレベータ内を明るくするために、通常エレベータかごの天井に照明装置が取り付けられる。
【０００３】
この天井に取り付けられる照明装置は、図５（ａ）（ｂ）（ｃ）に示すように、ソケット５１に差し込まれた電球５２が発する光を反射させるための傘５３が設けられる。この傘５３は、同図（ｂ）や同図（ｃ）に示すように通常、中央に円形の穴があき下方に広がった形状を有しており、反射効率を上げるために、電球５２は傘５３の上部の穴の中央に位置するように取り付けられる。しかし、電球５２を傘５３の丁度中央に保持して固定することは通常困難であり、ずれてしまい、反射効率を損い、極端な場合には傘に電球が接触してしまうおそれもあった。
【０００４】
【発明が解決しようとする課題】
本発明は、上述のような従来のエレベータの照明装置の問題点に鑑みてなされたもので、光源を照明カバーの中央の位置に安定に保持することができ、照明カバーが光源に接触することがなくしかも常に高い反射効率を維持できるエレベータの照明装置を提供することを目的とする。
【０００５】
【課題を解決するための手段】
上記目的を達成するために、本発明の請求項１によれば、エレベータ内の照明用の光源と、この光源に通電すると共に前記光源を保持する光源支持体と、中央に開口部を有すると共に下方に向かって開いた形状を有し、前記光源から発する光を反射させる照明カバーと、この照明カバーの前記開口部の縁に設けられ、この照明カバーを前記支持体に取り付けるとき前記光源支持体に当接する照明カバー保持体とから成ることを特徴とするエレベータの照明装置を提供する。
【０００６】
本発明の請求項２によれば、前記照明カバーが有する開口部は円形状であり、前記照明カバー保持体は前記開口部の中央に対して対象な位置に設けられて成ることを特徴とする請求項１記載のエレベータの照明装置を提供する。
【０００７】
本発明の請求項３によれば、前記照明カバーは前記照明カバー保持体により前記光源支持体に当接固定されてなることを特徴とする請求項１又は請求項２記載のエレベータの照明装置を提供する。
【０００８】
【発明の実施の形態】
以下、本発明の各実施形態について図面を用いて説明する。
【０００９】
図１（ａ）は本発明一実施形態のエレベータの照明装置の平面図、同図（ｂ）は（ａ）に示したＸ−Ｘ方向の断面図、同図（ｃ）はこの照明装置の側面図を示す。
【００１０】
図１（ｂ）に示すように、この照明装置１１は、光源である電球１２と、この電球を保持すると共に通電するソケット１３と、中央に開口部１４を有すると共に下方に向かって開いた形状を有し電球１２の発する光を反射する傘１５と、この傘１５の上記開口部１４の縁１６に設けられた一対の傘保持体１７ａ，１７ｂとから成っている。傘１５の下方の縁には４箇所に凹部１８が設けられており、この凹部１８はエレベータの天井にこの照明装置１１が設置されるときには、図示しない天井板に嵌め込まれる。
【００１１】
傘保持体１７は断面が長方形の長方形板の形状を有しており、傘１５をソケット１３に取り付けるときソケット１３に当接することになる。
【００１２】
傘１５の中央に有する開口部１４は円形をしており、傘保持体１７ａ，１７ｂは図１（ａ）に示すように開口部に対して丁度、反対の位置に設けられており、これにより傘１５がソケットに固定される。
【００１３】
この照明装置を天井に設置するときには、まず電球１２をソケットに差し込むことにより電球を固定する。次に傘保持体１７ａ，１７ｂのついた傘１５をソケット１３に当てて傘保持体１７ａ，１７ｂをソケット１３に固定する。このようにして得られた照明装置１１をエレベータの天井の部位のくりぬいた部分に押し込み、凹部１８を天井板に嵌め込む。
【００１４】
ところで、上記照明装置の傘に設けられる傘保持体は２個であった。しかし、４個の傘保持体を設けることもできる。この種の第２の実施形態を次に説明する。図２（ａ）はこの実施形態では、傘保持体は傘の開口部２４の９０度ずれた位置に２７ａ，２７ｂ，２７ｃ，２７ｄの４個、傘２５に設けられている。２１，２２，２３，２４，２５，２８は図１の実施形態の場合と同様に各々、照明装置、電球、ソケット、開口部、傘、凹部である。この照明装置２１も電球２２をソケット２３に差し込み、傘２５についている傘保持体２７ａ，２７ｂ，２７ｃ，２７ｄをソケット２３に固定した後、エレベータの天井板に凹部２８を嵌め込んで、ソケット２３を介して電球２２に通電することににより、使用することができる。
【００１５】
この実施形態によれば、傘は４個の傘保持体によりソケットに保持されるので、上述の第１の実施形態の場合よりも、安定に保持され、傘が中央の電球からずれることを更に少なくすることができる利点がある。
【００１６】
上述の実施形態では、傘保持体として断面が円の棒状のものを用いることもできる。この種の第３の実施形態について次に説明する。
【００１７】
図３（ａ）はこの実施形態の照明装置の上面図、同図（ｂ）は側面図である。
傘保持体３７ａ，３７ｂは断面が円の棒の形状を有しており、傘３５の開口部２４の中央に対して反対位置の２箇所に設けられている。３１，３２，３３，３４，３５，３８は図１の実施形態の場合と同様に各々、照明装置、電球、ソケット、開口部、傘、凹部である。この照明装置３１も電球３２をソケット３３に差し込み、傘３５についている傘保持体３７ａ，３７ｂをソケット３３に固定した後、エレベータの天井板に凹部３８を嵌め込んで、ソケット３３を介して電球３２に通電することにより、使用することができる。
【００１８】
本発明においては、上記第３の実施形態に用いた断面円の棒状体を４個用いることもできる。この種の実施形態を次に説明する。図４（ａ）はこの実施形態の照明装置の上面図、同図（ｂ）は側面図である。４個の傘保持体３７ａ，３７ｂ，３７ｃ，３７ｄは断面が円の棒の形状を有しており、傘４５の開口部４４の中央に対して反対位置の２箇所に設けられている。４１，４２，４３，４４，４５，４８は図１の実施形態の場合と同様に各々、照明装置、電球、ソケット、開口部、傘、凹部である。この照明装置４１も電球４２をソケット４３に差し込み、傘４５についている傘保持体４７ａ，４７ｂ，４７ｃ，４７ｄをソケット４３に固定した後、エレベータの天井板に凹部４８を嵌め込んで、ソケット４３を介して電球４２に通電することにより、使用することができる。
【００１９】
ところで、上述の本発明の実施形態では、傘保持体により傘をソケットに固定していた。しかし、これらの傘保持体をソケットに固定することなく、これらの傘保持体により傘の中央位置に電球を位置させるための手段とし、他の手段によりかさをソケットなどに固定するようにすることもできる。
【００２０】
また、上記実施形態では光源として電球、光源を支持するものとしてソケットの場合について説明したが、光源は電球に限られず、一般的には光源であればよく、またソケットも一般的には光源支持体であればよい。また上記実施形態における傘も、一般的には照明カバーであればよい。
【００２１】
【発明の効果】
以上説明したように本発明によれば、光源を照明カバーの中央の位置に安定に保持することができるので、光源と照明カバーが接触することがなくしかも常に高い反射効率を維持可能なエレベータの照明装置を得ることができる。
【図面の簡単な説明】
【図１】本発明一実施形態の構成例を示す図。
【図２】本発明の他の実施形態の構成例を示す図。
【図３】本発明の更に他の実施形態の構成例を示す図。
【図４】本発明の更に他の実施形態の構成例を示す図。
【図５】従来のエレベータの照明装置の構成例を示す図。
【符号の説明】
１１，２１，３１，４１・・・照明装置、
１２，２２，３２，４２・・・電球、
１３，２３，３３，４３・・・ソケット、
１４，２４，３４，４４・・・開口部、
１５，２５，３５，４５・・・傘、
１７ａ，１７ｂ，２７ａ，２７ｂ，２７ｃ，２７ｄ，３７ａ，３７ｂ，４７ａ，４７ｂ，４７ｃ，４７ｄ・・・傘保持体、
１８，２８，３８，４８・・・凹部。
【図１】
2004051265.tif 000003
【図２】
2004051265.tif 000004
【図３】
2004051265.tif 000005
【図４】
2004051265.tif 000006
【図５】
2004051265.tif 000007